(57)【要約】【課題】従来の受信機では、サイマル放送を行っている地上波デジタル放送を選局するまで時間がかかってしまう。また、地上波アナログ放送が停波した後も、ユーザーは毎回同じ操作をして地上波デジタル放送を選局し直さなければならず、選局作業が煩わしい。【解決手段】地上波アナログ放送の所望チャンネルを選局すると、同時に、選局した地上波アナログ放送局に該当する地上波デジタル放送局があるときには選局を行う（Ｓ１１）。次に、選局したアナログ放送局の放送信号が無信号であると判定した場合は、選局された地上波アナログ放送局に該当する地上波デジタル放送局があるときは、Ｓ１１で選局開始した該当する地上波デジタル放送局へ自動的に切り換える（Ｓ１４）。これにより、地上波アナログ放送が停波された場合でも、ユーザーに地上波デジタル放送のみに変わったことを意識させることなく、従来と同じ感覚で地上波デジタル放送を視聴できる。【選択図】図５
2007274345.tif 000002
【特許請求の範囲】
【請求項１】
サイマル放送されている地上波アナログ放送と地上波デジタル放送の両方を受信できる受信機において、
選局可能な地上波アナログ放送の放送局と、放送局名が該地上波アナログ放送の放送局名と同一か最も近い選局可能な地上波デジタル放送の放送局とを対応させた放送局対応情報を保持する保持手段と、
前記地上波アナログ放送の所望の放送局を選局する第１の選局手段と、
前記第１の選局手段により前記地上波アナログ放送の所望の第１の放送局を選局した時に、前記保持手段に保持されている前記放送局対応情報に基づいて、前記第１の放送局と放送局名が同一か最も近い選局可能な前記地上波デジタル放送の第２の放送局を同時に選局する第２の選局手段と、
前記第１の放送局の放送信号が無信号であるかどうか検出する検出手段と、
前記検出手段により無信号であることが検出されたときは、前記第２の選局手段で選局した前記第２の放送局の放送信号を復調するように切り換え、前記検出手段により無信号でないことが検出されたときは、前記第１の選局手段で選局した前記第１の放送局の放送信号を復調させる切換手段と、
前記切換手段により前記第２の放送局の放送信号を復調するように切り換えた時は、前記第１の放送局が選局できないことを示す無効情報を設定する設定手段と、
前記第１の選局手段により、前記無効情報が設定された前記第１の放送局を選局したときは、前記検出手段による検出動作を行うことなく、前記切換手段により前記第２の選局手段で選局される前記第２の放送局の放送信号を復調させる制御手段と
を有することを特徴とする受信機。
【発明の詳細な説明】
【技術分野】
【０００１】
本発明は受信機に係り、特にサイマル放送されている地上波アナログ放送と地上波デジタル放送両方が受信可能な受信機に関する。
【背景技術】
【０００２】
地上波デジタル放送の普及に伴い、地上波アナログ放送と地上波デジタル放送両方を受信できる受信機が開発されている。その中で今後の地上波アナログ放送が終了して地上波デジタル放送に移行するということで、原則的に地上波アナログ放送と地上波デジタル放送はサイマル放送、つまり同一の番組が放送されている。
【０００３】
まず、最初に地上波デジタル放送を受信するための仕組みについて説明する。地上波デジタル放送においては、地域により放送局が異なり、その放送局毎に放送している周波数が異なる。地上波デジタル放送は通常ＵＨＦ帯の１３チャンネルから６２チャンネルのいずれかのチャンネルによって行われる。
【０００４】
よって、テレビを購入したり、引っ越しをしたりした場合に、最初にどこの物理チャンネルでどういう放送を行っているかを調査するため、チャンネルスキャンを行う。実際のチャンネルスキャンを行う時には通常以下の手順を踏む。まず、上記のように各チャンネルに選局をする。そして、そこにデジタル放送が存在するかどうかを地上波デジタル放送で使われるＯＦＤＭ信号（直交周波数分割多重信号）にロックがかかるか、ＯＦＤＭ信号の復調が可能であるか、更に復調して得られたＭＰＥＧ（Moving Picture Experts Group）のＴＳ(Transport Stream)の中から正しいＰＳＩ(Program Specific Information:プログラム仕様情報)、ＳＩ(Service Information:番組配列情報)が受信できるか、そこに正常な放送局の情報が書いてあるかを検出することにより判断する。デジタル放送が存在するとわかった時には受信機内部の不揮発のメモリにその情報を記憶しておく。現在、まだ地上波デジタル放送は一部地域でしか開始されていないことから、その地域の放送局が開局すると新たにチャンネルスキャンを行う必要があるケースもある。
【０００５】
一方、地上波デジタル受信機においては、ユーザーの居住地域（都道府県単位、あるいはもっと細かく）を設定する。これは設定された地域で放送している放送局を域内放送局としてリモートコントローラ（以下、リモコンと略す）の選局ボタンに優先的に割り付けるために行う。このために域内、域外の放送局を判別するために、各地域の放送局の一覧表を受信機として持っている。
【０００６】
地上波デジタル放送においては、放送に含まれるＮＩＴ(Network Information Table)のＴＳ情報記述子に含まれるremote_control_key_idにより、リモコンのポジションキー１から１２までのキーのどこにその放送局が割り付けられるかが指定される。図３に放送局とremote_control_key_idと物理チャンネルの一例を示す。それ以外の地域で放送する放送局は域外放送局として、もしリモコンキーの同一のキーに割り付けられた場合には枝番のついた番号として記憶される。以下この番号の付け方を説明する。
【０００７】
地上波デジタル放送でのチャンネル番号は３桁のチャンネル番号＋１桁枝番という４桁の数字で表される。最初の３桁は以下のように決定される。
【０００８】
（１）サービス種別×２００＋remote_controlkey_id×１０＋（サービス番号＋１）により示される。
【０００９】
（２）サービス種別はテレビ放送が”０”，データ１放送が”１”，データ２放送が”２”、部分受信が”３”である。
【００１０】
（３）サービス番号は”０”から”７”まで可能あり、１つの放送局から複数の放送（たとえばＳＤの放送を３ｃｈ同時に行うなど）を行う時に使用する。
【００１１】
この結果３桁番号は表１のようになる。
【００１２】
【表１】
2007274345.tif 000003
例えば、ポジションキー「１０」に対してＳＤ放送のテレビ放送が３チャンネル分放送されている場合には、サービス種別＝０（テレビ放送）、remote_control_key_id＝ポジションキーの番号１０、となるので、そのチャンネル番号は１０１、１０２、１０３となる。これらは放送中のその構成が変わることがあるので、ある時には１０１チャンネルしかないし、ある時には１０１、１０２チャンネルが存在し、ある時には１０１、１０２、１０３、１０４チャンネルが存在することもある。
【００１３】
一方、枝番は居住地域の放送局は枝番”０”（省略されることが多い）となり、居住地域以外の放送局は枝番”１”から番号が付与され、同じremote_control_key_idの放送局が複数あった場合には枝番”２”、”３”、”４”と順に付与される。同じremote_control_key_id域内放送局が無い場合にも、枝番は”１”から付与される。
【００１４】
ところで、現在、全世界的な流れで放送のデジタル化が進んでいる。このため、近い将来において地上波アナログ放送が停波し、地上波デジタル放送のみの放送になる時が予想される。我国では、現在、この地上波アナログ放送停波の日は２０１１年７月２４日とされている。地上波アナログ放送停波があるとそれまで普通に見ていた放送が、ある日突然見ることができなくなる。地上波アナログ放送と地上波デジタル放送は同一内容の地上波デジタル放送は放送されているにもかかわらず、地上波アナログ放送の停波の事実を知らなかったり、地上波デジタル放送の選局の方法が分からなかったりすると、ユーザーが地上波デジタル放送に移行して見ることができないという状況にある。また、地上波アナログ放送が停波した時に、知らないユーザーはテレビが故障したと思ってしまう。
【００１５】
そこで、地上波アナログ放送が停波したときに、地上波デジタル放送に切り換えを促すような受信機が従来開示されている（例えば、特許文献１参照）。この特許文献１記載の受信機では、アナログ放送の停波後に、アナログ放送の放送チャンネルの選局を試みた場合、オンスクリーンディスプレイ（ＯＳＤ）表示処理手段を制御して、表示画面上にアナログ放送の放送チャンネルと同一番組のサイマル放送を行っているデジタル放送側の放送チャンネルに移行するようにメッセージをＯＳＤ表示させる機能と、アナログ放送の放送チャンネルと同一番組のサイマル放送を行っていたデジタル放送側の放送チャンネルに自動的に移行する機能とを有する構成である。これにより、アナログ放送が停波した後も従来通りの番組がデジタル放送側で視聴することができる。
【００１６】
【特許文献１】特開２００４−３２０４４９号公報
【発明の開示】
【発明が解決しようとする課題】
【００１７】
しかしながら、上記の特許文献１には、地上波アナログ放送が停波したかどうかを判断するのに、どういう手段を使うかが明確に記載されていない。また、上記の特許文献１記載の従来の受信機では、地上波アナログ放送を選局した後で、はじめてユーザーに地上波デジタル放送にするかを聞いているので、サイマル放送を行っている地上波デジタル放送を選局するまで時間がかかってしまう。更に、上記の従来の受信機では、地上波アナログ放送が停波した後も、毎回毎回同じようにユーザーに地上波デジタル放送を視聴するか否か聞くので、ユーザーは毎回それに答えて地上波デジタル放送を選局し直さなければならず、選局作業が煩わしいという問題もある。
【００１８】
本発明は以上の点に鑑みなされたもので、地上波アナログ放送が停波した後に、あたかも地上波アナログ放送を見るような簡単な選局操作で、地上波デジタル放送を迅速に視聴開始することを可能とした受信機を提供することを目的とする。
【課題を解決するための手段】
【００１９】
上記の目的を達成するため、本発明の受信機は、サイマル放送されている地上波アナログ放送と地上波デジタル放送の両方を受信できる受信機において、選局可能な地上波アナログ放送の放送局と、放送局名が地上波アナログ放送の放送局名と同一か最も近い選局可能な地上波デジタル放送の放送局とを対応させた放送局対応情報を保持する保持手段と、地上波アナログ放送の所望の放送局を選局する第１の選局手段と、第１の選局手段により地上波アナログ放送の所望の第１の放送局を選局した時に、保持手段に保持されている放送局対応情報に基づいて、第１の放送局と放送局名が同一か最も近い選局可能な地上波デジタル放送の第２の放送局を同時に選局する第２の選局手段と、第１の放送局の放送信号が無信号であるかどうか検出する検出手段と、検出手段により無信号であることが検出されたときは、第２の選局手段で選局した第２の放送局の放送信号を復調するように切り換え、検出手段により無信号でないことが検出されたときは、第１の選局手段で選局した第１の放送局の放送信号を復調させる切換手段と、切換手段により第２の放送局の放送信号を復調するように切り換えた時は、第１の放送局が選局できないことを示す無効情報を設定する設定手段と、第１の選局手段により、無効情報が設定された第１の放送局を選局したときは、検出手段による検出動作を行うことなく、切換手段により第２の選局手段で選局される第２の放送局の放送信号を復調させる制御手段とを有することを特徴とする。
【００２０】
この発明では、地上波アナログ放送の所望の第１の放送局を選局した時に、第１の放送局と放送局名が同一か最も近い選局可能な地上波デジタル放送の第２の放送局を同時に選局し、第１の放送局の放送信号が無信号であるときは、第２の放送局の放送信号を復調するように切り換えるようにしたため、地上波アナログ放送が停波により放送されていなくても、自動的に地上波アナログ放送の所望の第１の放送局と対応した地上波デジタル放送の第２の放送局に切り換えて選局できる。
【００２１】
また、地上波デジタル放送の第２の放送局に切り換えて選局したときは、その第２の放送局に対応した地上波アナログ放送の第１の放送局を無効に設定するようにしたため、その後第１の放送局を選局した場合は、検出手段による検出動作を行うことなく、第２の放送局の放送信号を直ちに復調させることができる。
【発明の効果】
【００２２】
本発明によれば、地上波アナログ放送が停波により放送されていなくても、自動的に地上波アナログ放送の所望の第１の放送局と対応した地上波デジタル放送の第２の放送局に切り換えて選局できるようにしたため、ユーザーに地上波アナログ放送から地上波デジタル放送に変わったことを意識させることなく、従来の地上波アナログ放送と同じ感覚で地上波デジタル放送を視聴させることができる。
【００２３】
また、本発明によれば、地上波アナログ放送信号の無信号状態を地上波アナログ放送が停波したかどうかを判断するのに使用しているので、地上波アナログ放送の停波の判定を正確に行うことができ、また、地上波アナログ放送と地上波デジタル放送の選局を同時に開始するので、地上波アナログ放送が無信号であるときに、地上波デジタル放送へ迅速に切り換えることができる。
【発明を実施するための最良の形態】
【００２４】
次に、本発明の一実施の形態について図面と共に説明する。図１は地上波アナログ放送と地上波デジタル放送両方を受信できる本発明になる受信機の一実施の形態のブロック図を示す。図１において、まず、地上波デジタル放送を受信する場合は、アンテナ１００で受信した電波を、チューナ１０１において所望のチャンネルを選択する。地上波デジタル放送では地上波アナログ放送と異なリ、１つのチャンネルで複数の事業者が放送を行う。よって、このチューナ１０１では周波数での選択を行うと共に、更にその周波数の中から１つの事業者の選択を行う。このチューナ１０１は地上波デジタル放送の選局と地上波アナログ放送の選局と一度に両方ができるものである。それぞれの選局は独立に行い、独立に動作させることができる。
【００２５】
次に、チューナ１０１から出力される選局受信された地上波デジタル放送のベースバンド信号はデスクランブラ１０２に入力される。このデスクランブラ１０２は有料放送などで、課金をしたい場合に、そのままでは視聴できないように信号にスクランブルをかけておき、特定のカードなどが受信機に挿入されていた場合のみにスクランブルを解除して視聴できるようにするための回路である。その後、選局受信された信号はデマルチプレクサ１０３に供給され、ここで、ビデオのデータとオーディオのデータとに分けられ、一時的にデマルチプレクサ用ランダム・アクセス・メモリ（ＲＡＭ）１１０に蓄えられ、その後デマルチプレクサ用ＲＡＭ１１０からそれぞれビデオデコーダ１０４とオーディオデコーダ１０５に送られる。
【００２６】
ビデオデコーダ１０４では圧縮されたビデオデータをデコードし、デコードした映像信号に、図２のようなＧＵＩ(Graphical User Interface)のグラフィクス１１９のデータが重畳されて、映像出力としてモニタ（図示せず）に出力される。また、オーディオデコーダ１０５では圧縮されたオーディオデータをデコードし、デコードしたオーディオ信号をオーディオアンプ（図示せず）へ出力する。
【００２７】
以上のチューナ１０１からオーディオデコーダ１０５まではバス１１８によって、中央処理装置（ＣＰＵ）１１３と接続され、その制御によって動作する。ＣＰＵ１１３のバス１１８には、これ以外にＣＰＵ１１３のプログラムを格納するリード・オンリ・メモリ（ＲＯＭ）１１４とＣＰＵ１１３の変数を格納するランダム・アクセス・メモリ（ＲＡＭ）１１５と、フラッシュメモリ１１６と、ネットワークインタフェース（Ｉ／Ｆ）１１１と、ＲＴＣ１１７と、リモコンＩ／Ｆ１１２が接続される。
【００２８】
更に、デマルチプレクサ１０３は上記のオーディオデータとビデオデータ以外のＳＩ／ＰＳＩ情報、データカルーセル情報を受信信号から抜き出して、デマルチプレクサ用ＲＡＭ１１０に一時的に蓄え、ＣＰＵ１１３がこれを取得して、例えばＳＩ情報なら番組表向けの情報に整理し直したり、データカルーセルの情報の中からＢＭＬ(Broadcast Markup Language)文書の情報を抽出して、ＲＡＭ１１５に蓄える。
【００２９】
番組表情報はユーザーが視聴する、しないに関わらず、受信機の中でユーザーが視聴していない時間に番組表情報を取得すべき地域局に選局を行って、フラッシュメモリ１１６に蓄える。場合によりキャッシュとしてＲＡＭ１１５にも蓄えるケースがある。ユーザーから電子番組表（ＥＰＧ）情報の表示の指示があった場合に、グラフィクス１１９を通じてユーザーに提示する。ＥＰＧ情報は現在以降、数日間の情報を取得可能である。また、ＢＭＬ文書は自動的に実行あるいはユーザーの操作により実行され、例えばその中のグラフィクスユーザーインターフェース部分はグラフィクス１１９を使ってユーザーに画面を提示する。フラッシュメモリ１１６は不揮発のメモリであり、電源を切ってもその内容は保持される。
【００３０】
ＲＴＣ（Ｒｅａｌ  Ｔｉｍｅ  Ｃｌｏｃｋ）１１７は時計である。これは中に水晶発振器を持って自走で時刻を保持していてもよいし、放送からＳＩ情報として受信された時刻データを基に時刻を保持していてもよい。後者の場合はＳＩ情報の中の時刻情報ＴＯＴをデマルチプレクサ用ＲＡＭ１１０からデマルチプレクサ１０３経由でＣＰＵ１１３が取得してＲＴＣ１１７に保持することになる。また、場合によっては時分秒といった通常の時刻でなく、電源がオンになってから水晶発振器が何クロック発振したかといった相対的な時間でもよい。いずれの場合でも、ＣＰＵ１１３はその時刻データをＲＴＣ１１７から取得することが可能である。
【００３１】
リモコンＩ／Ｆ１１２は図１では図示を省略したリモコンから送信された赤外線でのコマンドを取得し、保持する。ＣＰＵ１１３はこれを読みとってリモコンのボタンの何が押されたり、離されたりしたかを知る。上述したが番組に関する情報、例えば番組名や開始・終了日時・放送される放送局などの情報は放送電波に含まれているＳＩ情報（更に詳細にはＥＩＴ(Event Information Table)等の記述子）から取得することができる。これらの情報はまた、インターネット上で同様の情報を取得できるようなサイトから情報をダウンロードすることによっても取得できる。取得された番組情報はフラッシュメモリ１１６あるいはＲＡＭ１１５に格納される。この時通常は放送局順や時間順にソートされて、後から検索し易いような順序で格納される。
【００３２】
一方、ネットワークＩ／Ｆ１１１はインターネット１１９と接続されている、イーサネット（登録商標）用のインターフェースである。このネットワークＩ／Ｆ１１１は、ＣＰＵ１１３からの制御に基づき、インターネット１１９から様々なデータを取得する。
【００３３】
次に、地上波アナログ放送を受信する時の動作について説明する。アンテナ１００から入った電波はチューナ１０１に入力され、所望の地上波アナログ放送局からの放送信号が選局受信される。上記したように、この動作は地上波デジタル放送の選局と独立に行うことができる。チューナ１０１で選局され、かつ、検波された放送信号はＡ／Ｄ変換器１０６でデジタル化され、Ｙ／Ｃ分離回路１０７を通じて輝度信号成分（Ｙ成分）と色差信号成分（Ｃ成分）に分解される。
【００３４】
Ｙ／Ｃ分離回路１０７から出力されたＹ成分とＣ成分はＮＴＳＣデコーダ１０８に供給され、ここでＮＴＳＣ方式に準拠した輝度信号Ｙと２種類の色差信号Ｃｒ及びＣｂとからなるコンポーネント信号に変換された後、キャプチャ１０９に一旦蓄えられる。キャプチャ１０９にはフレームメモリがあり、ここで最終の映像出力に合わせてスケーリングを行い、最終の映像出力の同期信号と放送信号の同期信号との位相のずれを吸収するフレームシンクロナイザの役割を担っている。
【００３５】
そして、キャプチャ１０９から出力されたＮＴＳＣ方式の映像信号はグラフィクス１１９に入力され、ユーザーの操作用のグラフィクスを重畳して最終の映像出力としてモニタ（図示せず）へ出力される。なお、通常はキャプチャ１０９からの画像を表示している時には、ビデオデコーダ１０４からの画像は表示しない。
【００３６】
次に、現在の通常のテレビではユーザーの居住地域に応じて地上波アナログ放送の放送局が変わるので、居住地域を設定すると自動的に居住地域に応じた地上波アナログ放送局の設定を行うことが可能である。例えば、居住地域を東京２３区に設定すると、地上波アナログ放送局の設定は図２のような設定になる。この場合電子番組表の表示を行ったりするために、受信機の内部に放送局名を保持する手段を持っている。
【００３７】
以上の地上波デジタル放送及び地上波アナログ放送の選局受信動作自体は公知であり、本実施の形態は、上記のようにサイマル放送されている地上波デジタル放送と地上波アナログ放送の両方を受信できる受信機において、地上波アナログ放送を選局したときに無信号状態であるかどうかを、Ｙ／Ｃ分離回路１０７内に設けられている水平同期信号検出回路を利用して検出すると共に、ＣＰＵ１１３の処理動作により、無信号状態検出時は予め決められた地上波デジタル放送の放送局を選局するようにチューナ１０１を制御する点に特徴がある。以下、この実施の形態の各実施例について説明する。
【実施例１】
【００３８】
本実施例においては、地上波アナログ放送と地上波デジタル放送の両方を受信できる受信機において、地上波アナログ放送の放送局名を受信機内部で保持する手段を有し、地上波アナログ放送を選局した時に無信号状態の場合には、予め決められた地上波デジタル放送の放送局として、保持している地上波アナログ放送の放送局名と最も近い地上波デジタル放送の放送局を選局する。
【００３９】
まず、前準備として地上波アナログ放送と地上波デジタル放送の対応の表を作る。この表を作るタイミングは地上波デジタル放送のチャンネルスキャンを行った時でよい。この表の例を図４に示す。同図において、表は左の欄から順に地域、地上波アナログ放送の放送局名、地上波アナログ放送のチャンネル、地上波デジタル放送の放送局名、地上波デジタル放送のremote_control_key_id、地上波デジタル放送の物理チャンネルとが対応付けられている。
【００４０】
ここでは、たまたま地上波アナログ放送の放送局名と地上波デジタル放送の放送局名は一致しているが、異なる場合もある。この表は、選局可能な地上波アナログ放送の放送局名と、放送局名が地上波アナログ放送の放送局名と同一か最も近い、選局可能な地上波デジタル放送の放送局とを対応付けた表である。場合によっては、地上波アナログ放送に対応する地上波デジタル放送が無いケースもあり得る。この表は例えば図１のＲＡＭ１１５に記憶される。
【００４１】
この前準備の後、実際に地上波アナログ放送をユーザーがリモコン等で選局した時の動作について図５のフローチャートと共に説明する。これは図１のＣＰＵ１１３のプログラムとして実行される。まず、ユーザーが地上波アナログ放送をリモコン等で選局すると、ＣＰＵ１１３はチューナ１０１を制御して該当する地上波アナログ放送で当該チャンネルを選局すると同時に、図４の表を参照して、選局した地上波アナログ放送局に該当する地上波デジタル放送局があるときには選局を行う（ステップＳ１１）。つまり、地上波アナログ放送と地上波デジタル放送の対応する放送局の両方を並行して選局する。
【００４２】
続いて、ＣＰＵ１１３は、図１のＹ／Ｃ分離回路１０７内にある水平同期信号検出回路により検出される、選局したアナログ放送局の放送信号中の水平同期信号検出信号を入力として受け、その検出信号が、例えば数個連続して検出されなかったときは、無信号として判定する（ステップＳ１２）。水平同期信号が正常に１水平走査期間周期で入力されるときは、正常に地上波アナログ放送を選局できていることを意味するので、ＣＰＵ１１３は無信号ではないと判定してこの処理を終了する（ステップＳ１５）。
【００４３】
一方、ステップＳ１２で無信号であると判定した場合は、選局された地上波アナログ放送局に該当する地上波デジタル放送局があるかどうかを判定する（ステップＳ１３）。判定は図４の表を参照して行われる。ここで、もし該当する地上波デジタル放送局がなければ、ＣＰＵ１１３は動作を終了する（ステップＳ１５）が、ステップＳ１３で該当する地上波デジタル放送局があると判定した場合は、ステップＳ１１で開始した該当する地上波デジタル放送局に対する選局動作が終了するのを待って、その地上波デジタル放送局へ切り換えた後（ステップＳ１４）、処理を終了する（ステップＳ１５）。
【００４４】
なお、上記の地上波アナログ放送局から地上波デジタル放送局への切換は、ＣＰＵ１１３の制御の下にグラフィクス１１９内のスイッチにより、キャプチャ１０９から出力される地上波アナログ放送局の復調映像信号からビデオデコーダ１０４から出力される地上波デジタル放送局の復調映像信号へと切り換えられることで行われる。
【００４５】
これにより、本実施例によれば、地上波アナログ放送が放送されなくなった場合でも、ユーザーに地上波アナログ放送が停波して地上波デジタル放送のみに変わったことを意識させることなく、従来の地上波アナログ放送と同じ感覚で地上波デジタル放送を視聴することができる。
【００４６】
また、無信号状態を地上波アナログ放送が停波したかどうかを判断するのに使うようにしているため、明確に停波の判定を行うことができる。更に、本実施例によれば、地上波アナログ放送と地上波デジタル放送の選局を同時に開始するので、地上波アナログ放送で無信号検出を行った後に、地上波デジタル放送に切り替わる時間が速くできる。
【実施例２】
【００４７】
次に、実施例２について図６のフローチャートを用いて説明する。本実施例の動作を最初にかいつまんで説明すると、過去に地上波アナログ放送局が無信号のために地上波デジタル放送を選局したことがあり、かつ、地上波デジタル放送に選局が成功したことがあるときの該当する地上波アナログ放送局は「無効」という形で受信機内に登録され、その場合は直ちに地上波デジタル放送に選局に行くようにしたものである。
【００４８】
これを以下詳しく説明する。まず、図示しないが、初期状態では全ての地上波アナログ放送局は「有効」状態になっている。状態は「有効」と「無効」の２つである。受信機には各地上波アナログ放送局が「有効」か「無効」かの状態を保持している、有効無効テーブルを持っている。これは図１のフラッシュメモリ１１６に記憶され、受信機の電源がオフになっても内容が保持される。
【００４９】
ＣＰＵ１１３は、まず選局しようとしている地上波アナログ放送局が「有効」か「無効」かを、上記の有効無効テーブルを見て判断する（ステップＳ２１）。最初の一回目は初期状態が上記のように「有効」となっているので、ステップＳ２１ではＮｏでステップＳ２２へ移行する。その後は図５と同様に、該当する地上波アナログ放送で当該チャンネルを選局すると同時に、図４の表を参照して、選局した地上波アナログ放送局に該当する地上波デジタル放送局があるときには選局を行い（ステップＳ２２）、選局した地上波アナログ放送局の放送信号が無信号であるかどうか判定し（ステップＳ２３）、無信号である場合は該当する地上波デジタル放送局があるかどうか判定し（ステップＳ２４）、ある場合には該当する地上波デジタル放送局を選局するように切り換える（ステップＳ２５）。
【００５０】
続いて、ＣＰＵ１１３は、該当する地上波デジタル放送局の選局に成功したかどうか判定する（ステップＳ２６）。ここで、選局が成功した場合は、最初に選局した地上波アナログ放送局が無信号で、該当する地上波デジタル放送局が受信可能ということで、最初に選局した地上波アナログ放送が停波したと判断し、その地上波アナログ放送局の有効無効テーブルを「無効」とする（ステップＳ２６）。その後、終了する。
【００５１】
一旦、このように地上波アナログ放送局が停波したと判断した場合は、次回にユーザーがその地上波アナログ放送局を選局しようとした場合、ステップＳ２１でその地上波アナログ放送局の有効無効テーブルは「無効」であるからＹｅｓでステップＳ２５に移行し、地上波アナログ放送局の無信号を確認することなく、直ちに該当する地上波デジタル放送を選局する。
【００５２】
このように、本実施例によれば、最初に選局した地上波アナログ放送局が無信号で、かつ、該当する地上波デジタル放送に選局して成功した場合のみ、最初に選局した地上波アナログ放送局を「無効」にすることにより、例えば、深夜など地上波アナログ放送局がたまたま放送を休止している時間帯にその地上波アナログ放送局を選局したとしても、同じ時間に地上波デジタル放送も休止しているので、選局に失敗し、誤って「無効」にすることがなくなる。
【００５３】
また、本実施例によれば、一旦、地上波アナログ放送局が停波したと判断した場合は、次回にユーザーがその地上波アナログ放送局を選局しようとした場合、その地上波アナログ放送局の有効無効テーブルは「無効」であるから、地上波アナログ放送局の無信号を確認することなく、直ちに該当する地上波デジタル放送を選局するようにしたため、迅速に所望の番組内容の地上波デジタル放送局を選局できる。更に、本実施例によれば、一度地上波アナログ放送が停波したと判断した放送局は、その後は自動的に該当の地上波デジタル放送局を選局に行くので、ユーザーは毎回操作したり、判断したりする作業から解放される。
【実施例３】
【００５４】
次に、実施例３について図７のフローチャートを用いて説明する。図７中、図５と同一処理ステップには同一符号を付し、その説明を省略する。なお、ここでは簡単のため図７は図５をベースにして書いているが、図６の実施例２をベースにして書いてもよい。本実施例は、実施例１と比較すると、ステップＳ１１で地上波アナログ放送局の選局及び該当する地上波デジタル放送局の選局を行った後、ステップＳ３１にて特定の日付の確認を行う点が異なる。
【００５５】
例えば、特定の日付として、地上波アナログ放送停波の日である２０１１年７月２４日に設定した場合は、２０１１年７月２４日以前であったら、以後の無信号の判定等のステップＳ１２〜Ｓ１４の処理は行わず、直ちにステップＳ１５に移行して処理を終了する。従って、２０１１年７月２４日以前のときには、最初に選局操作した地上波アナログ放送局が選局される。
【００５６】
一方、２０１１年７月２４日以後であったら、ステップＳ１２〜Ｓ１４の図５の実施例１と同様の処理が行われ、無信号か否か判定し、無信号であると判定した場合は、選局された地上波アナログ放送局に該当する地上波デジタル放送局があるかどうかを判定し、もし該当する地上波デジタル放送局があれば、該当する地上波デジタル放送局に対する選局動作が終了するのを待って、その地上波デジタル放送局へ切り換える。
【００５７】
従って、本実施例によれば、特定の日付を経過している場合に限り、実施例１と同様の動作が行われ、特定の日付を経過していなければ、従来と同様の動作により最初に選局された地上波アナログ放送局が選局される。なお、特定の日付を経過した場合に限り、実施例２と同様の動作を行うようにすることもできる。
【実施例４】
【００５８】
次に、実施例４について説明する。地上波アナログ放送の停波をする時期は、地方や放送局により異なるケースがある。そこで、本実施例は、図７に示したステップＳ３１の特定の日付を地方や放送局によって変える点に特徴がある。
【００５９】
従って、本実施例のフローチャートは実施例３と同じく図７であり、異なるのはステップＳ３１の特定の日付が実施例３では常に２０１１年７月２４日のように一定であるのに対し、実施例４の場合、Ａ県は２０１１年７月１日、Ｂ県は２０１１年７月２４日などというように、地域によって変えたり、Ａ県の地上波アナログ放送局Ｘは２０１１年６月１日、地上波アナログ放送局Ｙは２０１１年７月１日というように放送局によって変更する。なお、このような地域や放送局の停波の時期のデータは放送より取得してもよいし、図１のインターネット１１９より取得してもよい。
【００６０】
なお、本発明は以上の実施の形態に限定されるものではなく、例えば、図５〜図７に示した各実施例の動作をコンピュータ（ＣＰＵ１１３）により実現させるコンピュータプログラムも包含するものである。この場合、コンピュータプログラムは記録媒体からコンピュータに取り込まれてもよいし、ネットワークを介して配信されてコンピュータにダウンロードされるようにしてもよい。
【図面の簡単な説明】
【００６１】
【図１】本発明の受信機の一実施の形態のブロック図である。
【図２】東京２３区での地上波アナログ放送のチャンネル設定である。
【図３】東京２３区の地上波デジタル放送のチャンネル設定である。
【図４】東京２３区の地上波デジタル放送と地上波アナログ放送のチャンネル設定である。
【図５】実施例１の地上波アナログ放送選局時のフローチャートである。
【図６】実施例２の地上波アナログ放送選局時のフローチャートである。
【図７】実施例３の地上波アナログ放送選局時のフローチャートである。
【符号の説明】
【００６２】
１００  アンテナ
１０１  チューナ
１０２  デスクランブラ
１０３  デマルチプレクサ
１０４  ビデオデコーダ
１０５  オーディオデコーダ
１０６  Ａ／Ｄ変換器
１０７  水平同期信号検出回路を含むＹ／Ｃ分離回路
１０８  ＮＴＳＣデコーダ
１０９  キャプチャ
１１０  デマルチプレクサ用ＲＡＭ
１１１  ネットワークＩ／Ｆ
１１２  リモコンＩ／Ｆ
１１３  中央処理装置（ＣＰＵ）
１１４  リード・オンリ・メモリ（ＲＯＭ）
１１５  ランダム・アクセス・メモリ（ＲＡＭ）
１１６  フラッシュメモリ
１１７  ＲＴＣ
１１８  バス
１１９  グラフィクス
【図１】
2007274345.tif 000004
【図２】
2007274345.tif 000005
【図３】
2007274345.tif 000006
【図４】
2007274345.tif 000007
【図５】
2007274345.tif 000008
【図６】
2007274345.tif 000009
【図７】
2007274345.tif 000010